(57)【要約】【課題】ワークを確実に挟んで位置決めることができるプライヤーの構造を提供する。【解決手段】第一ヘッド部１１と第一尾部１２とを有し軸線方向に沿うレール１３を備える第一握り１と、第二ヘッド部２１と第二尾部２２とを有する第二握り２と、第一ヘッド部１１に固定される第一挟み部３と、第一ヘッド部１１及び第二ヘッド部２１に枢着される第二挟み部４と、第一端部がレール１３に摺動自在に設けられ第二端部が第二握り２に枢着されるトグル素子５と、を備え、第一挟み部３は第二挟み部４に隣接し切り欠けが設けられ、第二挟み部４は切り欠けに応じて当接部４１が設けられ、切り欠けの第一当接面３１１と隣接する第二当接面３１２及び第三当接面３１３との成す角度は６０度であり、当接部４１は第一当接面３１１に当接し、第二挟み部４は、少なくとも第二当接面３１２と第三当接面３１３とを当接部４１に合わせてワークに当接する。【選択図】図１
0003122034.tif 000002
【実用新案登録請求の範囲】
【請求項１】
第一握り（１）と、第二握り（２）と、第一挟み部（３）と、第二挟み部（４）と、トグル素子（５）とを備え、
前記第一握り（１）は、第一ヘッド部（１１）と第一尾部（１２）とを有し、その上では軸線方向に沿ったレール（１３）が開設してあり、
前記第二握り（２）は、第二ヘッド部（２１）と第二尾部（２２）とを有し、
前記第一挟み部（３）は、前記第一握り（１）の第一ヘッド部（１１）に固定され、
前記第二挟み部（４）は、前記第一握り（１）の第一ヘッド部（１１）に枢着され、且つ前記第二握り（２）の第二ヘッド部（２１）に枢着され、
前記トグル素子（５）は、互いに遠ざかった第一端部（５１）と第二端部（５２）とを有し、前記第一端部（５１）が前記第一握り（１）のレール（１３）に摺動自在に設けられ、前記第二端部（５２）が前記第二握り（２）に枢着されたプライヤーの構造において、
前記第一挟み部（３）は前記第二挟み部（４）に隣接し一つの切り欠け（３１）が設けてあり、
前記第二挟み部（４）は前記切り欠け（３１）に応じて当接部（４１）が一つ設けてあり、
前記第二挟み部（４）の切り欠け（３１）は、第一当接面（３１１）と、前記第一当接面（３１１）に隣接した第二当接面（３１２）と第三当接面（３１３）とを有し、前記第一当接面（３１１）と第二当接面（３１２）との成す角度は６０度であり、且つ前記第一当接面（３１１）と第三当接面（３１３）との成す角度も６０度であり、
前記当接部（４１）は第一当接面（３１１）に当接し、前記第二挟み部（４）は、少なくとも第二当接面（３１２）と第三当接面（３１３）とを前記当接部（４１）に合わせてワークに当接可能であることを特徴とするプライヤーの構造。
【請求項２】
前記第一握りには調整用レバーが取り付けてあり、前記調整用レバーは前記第一握りの尾部に螺着され、前記調整用レバーは一つの当り止め部を有し、前記当り止め部が前記レールを挿通して前記トグル素子に当接することを特徴とする請求項１に記載のプライヤーの構造。
【請求項３】
前記第二握りには解放用レバーが取り付けてあり、前記解放用レバーは互いに遠ざかった頂部と操作部とを有し、前記頂部と操作部との中央が前記第二握りに枢着されることを特徴とする請求項１に記載のプライヤーの構造。
【請求項４】
前記第一握りには復帰素子が取り付けてあり、前記復帰素子は、一端が前記第二挟み部に連接し、他端が前記第一握りに連接することを特徴とする請求項１に記載のプライヤーの構造。
【請求項５】
前記第二挟み部の当接部は前記第一当接面に応じて戻り止めが設けてあることを特徴とする請求項１に記載のプライヤーの構造。
【請求項６】
前記第一挟み部には穴が一つ開設してあり、前記第一握りには前記穴を挿通して第一挟み部に枢着する枢着軸が設けてあり、前記枢着軸と前記穴の間には前記枢着軸が摺動回転可能な隙間が残っており、更に、一つの戻り止め素子を有し、前記戻り止め素子がブッシュの周縁に設置されることを特徴とする請求項１に記載のプライヤーの構造。
【請求項７】
前記第二挟み部には溝が一つ開設してあり、前記溝にはビットが一つ設けてあり、前記ビットは前記第一挟み部へ突出したビット部を有することを特徴とする請求項１に記載のプライヤーの構造。
【考案の詳細な説明】
【技術分野】
【０００１】
本考案は、プライヤーの構造に係り、特に、ワークを便利に固定することができるプライヤーの構造に関するものである。
【背景技術】
【０００２】
図７に示すのは従来のプライヤーであって、一対の挟み部７を備え、前記挟み部７の隣接面には戻り止め部７１が設けてあり、前記一対の挟み部７が一対の握り８で連動され、前記握り８にはトグル素子８１が設けてあり、これにより、前記一対の挟み部７がワークを挟むときに前記ワークを位置決めることができ、前記挟み部７にはトグル素子８１に合わせる緩め用レバー８２が取り付けてあり、前記緩め用レバー８２は前記トグル素子８１を押して位置決めを解除するためのものである。
【０００３】
操作するときには、前記一対の握り８を圧制することにより一対の挟み部７を連動してワークを挟み、一対の握り８に設けたトグル素子８１が引かれて位置決めになり、一対の挟み部７がトグル素子８１にブレーキされ位置決めになる。
前記トグル素子８１による位置決めを解除しようとするときには、前記緩め用レバー８２を押すだけで、前記トグル素子８１の位置決めが解除され、ワークが解放されるようになる。
なお、上記の構造は、ワークを位置決める効果を有するが、実際には、ワークを両側から挟んで位置決める効果を有する。しかしながら、例えば締結素子などの形状が不対称のものに使用する場合には、ワークを確実に安定して挟むことができず、別の工具を追加して一緒に使用することが必要である。
【考案の開示】
【考案が解決しようとする課題】
【０００４】
本考案の主な目的は、第一挟み部の第二挟み部に隣接する箇所では一つの切り欠けが設けてあり、前記切り欠けは、第一当接面と、前記第一当接面に隣接した第二当接面と第三当接面とを有し、前記各当接面をワークの周縁に当接することにより、第一挟み部と第二挟み部とでワークを確実に挟んで位置決めることができるプライヤーの構造を提供する。
【課題を解決するための手段】
【０００５】
上記目的を達成するためになされた本考案は、第一握りと、第二握りと、第一挟み部と、第二挟み部と、トグル素子とを備え、前記第一握りは、第一ヘッド部と第一尾部とを有し、その上では軸線方向に沿ったレールが開設してあり、前記第二握りは、第二ヘッド部と第二尾部とを有し、前記第一挟み部は、前記第一握りの第一ヘッド部に固定され、前記第二挟み部は、前記第一握りの第一ヘッド部に枢着され、且つ前記第二握りの第二ヘッド部に枢着され、前記トグル素子は、互いに遠ざかった第一端部と第二端部とを有し、前記第一端部が前記第一握りのレールに摺動自在に設けられ、前記第二端部が前記第二握りに枢着されたプライヤーの構造において、前記第一挟み部が前記第二挟み部に隣接し一つの切り欠けが設けてあり、前記第二挟み部は前記切り欠けに応じて当接部が一つ設けてあり、前記第二挟み部の切り欠けは、第一当接面と、前記第一当接面に隣接した第二当接面と第三当接面とを有し、前記第一当接面と第二当接面との成す角度は６０度であり、且つ前記第一当接面と第三当接面との成す角度も６０度であり、前記当接部は第一当接面に当接し、前記第二挟み部は、少なくとも第二当接面と第三当接面とを前記当接部に合わせてワークに当接し、前記第一握りには復帰素子が取り付けてあり、前記復帰素子は、一端が前記第二挟み部に連接し、他端が前記第一握りに連接することを特徴とするプライヤーの構造であることを要旨としている。
（考案の効果）
本考案に係るプライヤーの構造によれば、第一挟み部と第二挟み部とにより何れかの形状のワークでも確実に挟んで位置決めることができる。
【考案を実施するための最良の形態】
【０００６】
以下、添付図面を参照して本考案の好適な実施の形態を詳細に説明する。
まず、図１から図４を参照する。本考案の第一実施例によるプライヤーの構造は、第一握り１と、第二握り２と、第一挟み部３と、第二挟み部４と、トグル素子５とを備える。
前記第一握り１は、第一ヘッド部１１と第一尾部１２とを有し、その上では軸線方向に沿ったレール１３が開設してある。
【０００７】
前記第二握り２は、第二ヘッド部２１と第二尾部２２とを有する。
前記第二握り２には解放用レバー２３が取り付けてあり、前記解放用レバー２３は互いに遠ざかった頂部２３１と操作部２３２とを有し、前記頂部２３１と操作部２３２との中央が前記第二握り２に枢着される。
前記第一挟み部３は、前記第一握り１の第一ヘッド部１１に固定される。
【０００８】
前記第二挟み部４は、前記第一握り１の第一ヘッド部１１に枢着され、且つ前記第二握り４の第二ヘッド部２１に枢着される。
前記トグル素子５は、互いに遠ざかった第一端部５１と第二端部５２とを有し、前記第一端部５１が前記第一握り１のレール１３に摺動自在に設けられ、前記第二端部５２が前記第二握り２に枢着される。
【０００９】
前記第一握り１には調整用レバー１４が取り付けてあり、前記調整用レバー１４は前記第一握り１の第一尾部１２に螺着され、前記調整用レバー１４は一つの当り止め部１４１を有し、前記当り止め部１４１が前記レール１３を挿通して前記トグル素子５に当接する。
前記第一握り１と第二握り２とを近接することにより、第一挟み部３と第二挟み部４とが連動されワークを挟む。
【００１０】
前記第一挟み部３の前記第二挟み部に隣接する箇所では一つの切り欠け３１が設けてあり、前記第二挟み部４は前記切り欠け３１に応じて当接部４１が一つ設けてあり、前記第二挟み部４の切り欠け３１は、第一当接面３１１と、前記第一当接面３１１に隣接した第二当接面３１２と第三当接面３１３とを有し、前記第一当接面３１１と第二当接面３１２との成す角度は６０度であり、且つ前記第一当接面３１１と第三当接面３１３との成す角度も６０度であり、前記当接部４１が第一当接面３１１に当接し、前記第二挟み部４の当接部４１は第一当接面３１１に応じて戻り止め４１１が設けてある。
前記第一握り１には復帰素子１５が取り付けてあり、前記復帰素子１５は、一端が前記第二挟み部４に連接し、他端が前記第一握り１に連接する。
【００１１】
次に、使用状態を詳細に説明する。まず、第一握り１と第二握り２とを互いに接近させて、第一挟み部３と第二挟み部４とをそれぞれ連動して六角ヘッド付ボルト６を挟む。前記六角ヘッド付ボルト６は、第一側面６１と、前記第一側面６１に隣接した第二側面６２と第三側面６３と、前記第一側面６１に対称する第四側面６４とを有する。第一挟み部３の第一当接面３１１が前記第一側面６１に当接し、第二当接面３１２が第二側面６２に当接し、第三当接面３１３が第三側面６３に当接し、前記第二挟み部４の当接部４１が第四側面６４に当接する。
【００１２】
なお、前記トグル素子５は前記調整ロッド１４の当り止め部１４１に支えられ前記第ニ挟み部４を係止し、そうすると、プライヤーの第一挟み部３と第二挟み部４が六角ボルト６を挟んで位置決めるようになる。
また、六角ボルト６を解放しようとする場合には、前記解放用レバー２３の操作部２３２を圧制し操作部２３２を第二握り２へ移動させ、これにより、前記解放用レバー２３の頂部２３１が前記トグル素子５を押し、前記トグル素子５が前記レール１３から離れるようになり、そうすると、前記第一挟み部３と第二挟み部４とからワークが解放される。
だから、ユーザが六角ボルト６をねじ込む際には、六角ボルト６が前記第一挟み部３と第二挟み部４から離脱することはなくなる。
【００１３】
もちろん、本考案は色々な変化が存在する。図５に示すのは本考案の第二実施例によるプライヤーの構造であって、第一挟み部３には穴４２が一つ開設してあり、前記第一握り１には前記穴４２を挿通して第一挟み部３に枢着する枢着軸１６が設けてあり、前記枢着軸１６と前記穴４２との間には前記枢着軸１６が摺動回転可能な隙間が残っており、更に、プライヤーは一つの戻り止め素子６５を有し、前記戻り止め素子６５がブッシュ６６の周縁に設置される。
【００１４】
次に、使用状態を詳細に説明する。まず、第一握り１と第二握り２を互いに接近させて、第一挟み部３と第二挟み部４とがそれぞれ連動されて位置決め、また、前記ブッシュ６６をねじ込んで一方向にブレーキを掛け、そうすると、ユーザは、第一挟み部３と第二挟み部４を重複に緩めてタイトにすることによりブッシュ６６をねじ込む必要がなくなり、前記第一挟み部３の切り欠け３１を前記ブッシュ６６の戻り止め素子６５に直接に嵌め込んで、前記第二挟み部４の当接部４１で前記戻り止め素子６５に当接し、これにより、ユーザはブッシュ６６を継続にねじ込むことができる。
【００１５】
また、図６に示すのは本考案の第三実施例によるプライヤーの構造であって、第二挟み部４には溝６７が一つ開設してあり、前記溝６７にはビット６８が一つ設けてあり、前記ビット６８は、前記第一挟み部３へ突出したビット部６８１と、前記ビット部６８１の反対側に位置する挿通部６８２とを有し、前記挿通部６８２を前記溝６７に挿入した後、ピン６８３によって前記ビット６８を前記溝６７に固定する。
【００１６】
次に、使用状態を詳細に説明する。まず、第一挟み部３と第二挟み部４とを互いに接近させ、第一当接面３１１と、第二当接面３１２と、第三当接面３１３と、前記第二挟み部４の当接部４１とによってチューブ（図示せず）を挟んで位置決めた後、前記チューブを中心としてプライヤーを回し、そうすると、前記ビット６８のビット部６８１が前記チューブを持続して切り込み、最後に前記チューブが切断される。
だから、本考案の第三実施例により、チューブを容易に切断することができ、これにより、本考案の適用可能範囲はもっと拡大される。
もちろん、本考案の精神および請求範囲は、実用新案登録請求の範囲に限定され、上記の実施形態に限定されない。
【図面の簡単な説明】
【００１７】
【図１】本考案の第一実施例によるプライヤーの組合状態を示す斜視図である。
【図２】本考案の第一実施例によるプライヤーの分解斜視図である。
【図３】本考案の第一実施例によるプライヤーの模式図である。
【図４】本考案の第一実施例によるプライヤーの使用状態を示す模式図である。
【図５】本考案の第二実施例によるプライヤーの構造を示す模式図である。
【図６】本考案の第三実施例によるプライヤーの構造を示す分解斜視図である。
【図７】従来のプライヤーの組合状態を示す斜視図である。
【符号の説明】
【００１８】
１  第一握り、１１  第一ヘッド部、１２  第一尾部、１３  レール、１４  調整ロッド、１４１  当り止め部、１５  復帰素子、１６  枢着軸、２  第二握り、２１  第二ヘッド部、２２  第二尾部、２３  解放用レバー、２３１  頂部、２３２  操作部、３  第一挟み部、３１  切り欠け、３１１  第一当接面、３１２  第二当接面、３１３  第三当接面、４  第二挟み部、４１  当接部、４１１  戻り止め、４２  穴、５  トグル素子、５１  第一端部、５２  第二端部、６  六角ヘッド付ボルト、６１  第一側面、６２  第二側面、６３  第三側面、６４  第四側面、６５  戻り止め素子、６６  ブッシュ、６７  溝、６８  ビット、６８１  ビット部、６８２  挿通部、６８３  ピン
【図１】
0003122034.tif 000003
【図２】
0003122034.tif 000004
【図３】
0003122034.tif 000005
【図４】
0003122034.tif 000006
【図５】
0003122034.tif 000007
【図６】
0003122034.tif 000008
【図７】
0003122034.tif 000009